(57)【要約】【課題】保管時の省スペース化を可能にすると共に、敷設時に手間がかからない灌水用チューブ巻取体を提供する。【解決手段】長手方向に間隔をおいて複数の灌水孔が設けられ、下半部１０Ｄを地面側に向け、上半部１０Ｕを上方側に向けて前記地面に設置される管を備えた灌水用チューブであって、前記管の長手方向に延在する前記管の姿勢保持用の突条２０が下半部１０Ｄの外面に設けられ、上半部１０Ｕと下半部１０Ｄが一平面上に押し付けられて帯状体６とされると共に、帯状体６の一端６ａから他端６ｂへ向けて上半部１０Ｕと前記下半部１０Ｄの何れか一方を内向きにし、突条２０の先端を帯状体６の外側方に向けて折り畳んで渦巻き状に巻き取られていることを特徴とする。【選択図】図４
2014226060.tif 000002
【特許請求の範囲】
【請求項１】
長手方向に間隔をおいて複数の灌水孔が設けられ、下半部を地面側に向け、上半部を上方側に向けて前記地面に設置される管が、渦巻き状に巻き取られている灌水用チューブ巻取体であって、
前記管の長手方向に延在する前記管の姿勢保持用の突条が前記下半部の外面に設けられ、
前記上半部と前記下半部が一平面上に押し付けられて帯状体とされると共に、この帯状体の一端から他端へ向けて前記上半部と前記下半部の何れか一方を内向きにし、前記突条の先端を前記帯状体の外側方に向けて折り畳んで渦巻き状に巻き取られていることを特徴とする灌水用チューブ巻取体。
【請求項２】
前記灌水孔が前記上半部に設けられ、前記上半部を内向きにして前記帯状体が巻き取られていることを特徴とする請求項１に記載の灌水用チューブ巻取体。
【請求項３】
巻取軸心方向において、前記帯状体の前記突条とその帯状体の外周側に隣接する前記帯状体の前記突条との位置がずれていることを特徴とする請求項１又は２に記載の灌水用チューブ巻取体。
【発明の詳細な説明】
【技術分野】
【０００１】
本発明は、灌水用チューブ巻取体に関する。
【背景技術】
【０００２】
野菜、果物、花等の植物を栽培する際には、これらの植物に灌水する。植物に灌水する方法には、例えば、長手方向の外面に間隔をおいて複数の灌水孔が設けられた管を備えた灌水用チューブを用いて灌水する方法がある（特許文献１〜３参照）。
【先行技術文献】
【特許文献】
【０００３】
【特許文献１】特開平８−８０１２９号公報
【特許文献２】特開昭６２−１８７６５６号公報
【特許文献３】特開平６−１１４９７２号公報
【発明の概要】
【発明が解決しようとする課題】
【０００４】
灌水用チューブは、使用前後に管の内部から空気や水を抜いて上半部と下半部を一平面上に押し付けた帯状体とする。従来では、このような長尺の帯状体を一定又は不定の長さで折り畳んだものを保管することがあった。その場合、灌水用チューブの保管スペースが増大するという問題があった。また、保管していた灌水用チューブを敷設する際に、前記折り畳んだ帯状体を地面に対して解放するのに手間がかかるという問題があった。
【０００５】
本発明は、上記事情を鑑みてなされたものであり、保管時の省スペース化を可能にすると共に、敷設時に帯状体を地面に対して解放するのに手間がかからない灌水用チューブ巻取体の提供を課題とする。
【課題を解決するための手段】
【０００６】
本発明の灌水用チューブ巻取体は、長手方向に間隔をおいて複数の灌水孔が設けられ、下半部を地面側に向け、上半部を上方側に向けて前記地面に設置される管が、渦巻き状に巻き取られている灌水用チューブ巻取体であって、前記管の長手方向に延在する前記管の姿勢保持用の突条が前記下半部の外面に設けられ、前記上半部と前記下半部が一平面上に押し付けられて帯状体とされると共に、この帯状体の一端から他端へ向けて前記上半部と前記下半部の何れか一方を内向きにし、前記突条の先端を前記帯状体の外側方に向けて折り畳んで渦巻き状に巻き取られていることを特徴とする。
本発明の灌水用チューブ巻取体は、前記灌水孔が前記上半部に設けられ、前記上半部を内向きにして前記帯状体が巻き取られていることが好ましい。
本発明の灌水用チューブ巻取体は、巻取軸心方向において、前記帯状体の前記突条とその帯状体の外周側に隣接する前記帯状体の前記突条との位置がずれていることが好ましい。
【発明の効果】
【０００７】
本発明によれば、保管時の省スペース化を可能にすると共に、敷設時に帯状体を地面に対して解放するのに手間がかからない灌水用チューブ巻取体が提供される。
【図面の簡単な説明】
【０００８】
【図１】灌水用チューブが地面に敷設されて灌水を行っている状態を示す斜視図である。
【図２】灌水用チューブが地面に敷設されて灌水を行う前後の状態を示す斜視図である。
【図３】灌水用チューブを説明するための斜視図である。
【図４】本発明の第一実施形態である灌水用チューブを示す側面図である。
【図５】本発明の第一実施形態である灌水用チューブを示す図であって、図４に示すＡ−Ａ´線で矢視した場合の灌水用チューブの断面図である。
【図６】本発明の第二実施形態である灌水用チューブを示す側面図である。
【図７】本発明の第二実施形態である灌水用チューブを示す図であって、図６に示すＢ−Ｂ´線で矢視した場合の灌水用チューブの断面図である。
【図８】本発明の第二実施形態である灌水用チューブを示す図であって、図６に示すＢ−Ｂ´線で矢視した場合の灌水用チューブの他の断面図である。
【発明を実施するための形態】
【０００９】
以下、本発明の灌水用チューブの一実施形態について、図面を参照して説明する。なお、以下の説明で用いる図面は模式的なものであり、長さ、幅、及び厚みの寸法及び比率等は実際のものと同一とは限らず、適宜変更することができる。
【００１０】
（第一実施形態）
図１は、灌水用チューブ７が地面に敷設されて灌水を行っている状態を示す斜視図である。灌水用チューブ７は、送水管１０（管）と、突条２０と、を備えている。
【００１１】
送水管１０は、押出成形により、中空部を有して一方向に延在するように管状に成形された配水管である。送水管１０の中空部である送水部１２は水の流路となっている。本実施形態における送水管１０は、熱可塑性樹脂等の樹脂（以下、単に樹脂という）から構成されている。
【００１２】
送水管１０の上半部１０Ｕには、長手方向に一定の間隔をおいて複数の灌水孔Ｈが設けられている。送水管１０の長手方向における灌水孔Ｈの間隔は５０ｍｍ以上３００ｍｍ以下であることが好ましい。灌水孔Ｈの間隔が前記下限値以上であれば、適度な間隔で灌水され、前記上限値以下であれば、畑において灌水されない部分が生じない。灌水孔Ｈの孔径は、０．２ｍｍ以上１．０ｍｍ以下であることが好ましい。灌水孔Ｈの孔径が前記下限値以上であれば、灌水量が容易に多くなり、前記上限値以下であれば、灌水用の水が適度な角度で噴出する。
【００１３】
送水管１０の肉厚は１００μｍ以上３００μｍ以下であることが好ましい。送水管１０の肉厚が前記下限値以上であれば、灌水用チューブ７に供給する水の圧力を高めにしても破裂しにくく、前記上限値以下であれば充分な屈曲性が確保される。
【００１４】
突条２０は、送水管１０の姿勢を保持するためのものであり、送水管１０の長手方向に延在して下半部１０Ｄの外面に二つ設けられている。突条２０の先端は、基端から送水管１０の幅方向の外側方に向けられている。突条２０の基端から先端までの長さＬ２は、送水管１０の幅寸法Ｌ１に対して７．０％以上４０．０％以下であることが好ましく、１０．０％以上３０．０％以下であることがより好ましく、１５．０％以上２５．０％以下であることが更に好ましい。突条２０の長さＬ２が前記下限値以上であれば、送水部１２に送水した際に、突条２０の先端が確実に接地され、送水管１０の底部と地面Ｇとの間隔が充分に確保されるため、灌水用チューブ７の回動が確実に回避される。長さＬ２が前記上限値を超えると灌水用チューブ７の回動を防止する能力が頭打ちになるため、突条２０を構成する熱可塑性樹脂等の樹脂（以下、単に樹脂という）の使用量が無駄に多くなるだけで好ましくない。
【００１５】
送水部１２に送水している際の、灌水用チューブ７の長手方向に対して垂直な断面において、送水管１０の外周の中心に対して二つの突条２０のなす角度が３５°以上５５°以下であることが好ましい。但し、この角度は、送水管１０の外周の中心が角の頂点である。前記角度が前記下限値未満であっても前記上限値より大きくても灌水用チューブ７の回動が充分に抑制されないため、好ましくない。
【００１６】
送水管１０及び突条２０を構成する樹脂としては、例えば押出成形に適用可能な熱可塑性樹脂が挙げられる。このような熱可塑性樹脂には、ポリプロピレン、ポリ塩化ビニル、分岐状低密度ポリエチレン、直鎖状低密度ポリエチレン等がある。また、前記熱可塑性樹脂には、必要に応じて、顔料、染料、可塑剤、安定剤、酸化防止剤、フィラー等が含まれてもよい。
【００１７】
図２は、灌水用チューブ７が灌水を行う前後の帯状体６を示す斜視図である。灌水用チューブ７は、送水部１２に水が流れていないときには、図２に示すように、送水部１２内の空気や水等が送水部１２から抜かれ、上半部１０Ｕと下半部１０ＤがＰ平面（一平面）上に押し付けられた帯状体６とされている。なお、帯状体６の幅寸法と突条２０の長さＬ２の比率としては、例えば１０：０．５〜１０：２であることが好ましい。
【００１８】
図３は、帯状体６が巻き取られる様子を示す斜視図である。図４は、本実施形態である灌水用チューブ巻取体５を示す側面図である。図５は、本実施形態である灌水用チューブ巻取体５を示す図であって、図４に示すＡ−Ａ´線で矢視した場合の灌水用チューブ巻取体５の断面図である。本実施形態である灌水用チューブ巻取体５は、図２に示す帯状体６とされると共に、図３及び図４に示すように、この帯状体６の一端６ａから他端６ｂへ向けて渦巻状きに巻き取られたものである。また、灌水用チューブ巻取体５は、図３に示すように、下半部１０Ｄを外向きにすると共に、図５に示すように、突条２０の先端を帯状体６の外側方に向けて折り畳んで巻き取られたものである。
【００１９】
灌水用チューブ巻取体５は、送水管１０の上半部１０Ｕと下半部１０Ｄの何れか一方を内向きにして巻き取られている。灌水用チューブ巻取体５のように、灌水孔Ｈが上半部１０Ｕに設けられている場合は、図３に示すように、上半部１０Ｕを内向きにして巻き取られていることによって灌水孔Ｈが灌水用チューブ巻取体５の外周側に露出しない。
【００２０】
次いで、長尺の帯状体６から灌水用チューブ巻取体５とする、或いは灌水用チューブ巻取体５から長尺の帯状体６とする方法について説明する。帯状体６から灌水用チューブ巻取体５とする、或いは灌水用チューブ巻取体５から帯状体６とする際には、例えば帯状体６の巻き取り用のボビンや芯（以下、芯部という）と、芯部を回転させるハンドル等の回転機構が具備された巻き取り機を用いることができる。
【００２１】
帯状体６から灌水用チューブ巻取体５とする際には、前記巻き取り機の芯部外周の所定の箇所に上半部１０Ｕが内向きになるようにして帯状体６の一端６ａを固定する。次に、前記巻き取り機の回転機構を用いて、図３に示すように帯状体６の一端６ａから他端６ｂへ向けて渦巻状きに巻き取る。これにより、図４及び図５に示す灌水用チューブ巻取体５が得られる。一方、灌水用チューブ巻取体５から帯状体６とする際には、灌水用チューブ巻取体５の最外周上に位置する帯状体６の他端６ｂを地面Ｇの所定の敷設位置の端部に固定し、前記巻き取り機を帯状体６の敷設位置に沿って移動させると共に前記巻き取り機の回転機構を用いて他端６ｂから一端６ａに向けて帯状体６を前記巻き取り機の芯部から離脱させる。これにより、帯状体６が地面Ｇの所定の位置に敷設される。
【００２２】
ここで、本実施形態の灌水用チューブ巻取体５は、上半部１０Ｕと下半部１０ＤがＰ平面上に押し付けられて帯状体６とされると共に、帯状体６の一端６ａから他端６ｂへ向けて上半部１０Ｕと下半部１０Ｄの何れか一方を内向きにして渦巻状きに巻き取られているものである。そのため、灌水用チューブ巻取体５がより小径になる。また、灌水用チューブ巻取体５を敷設する際には帯状体６の他端６ｂを地面Ｇの所定の敷設位置端部に固定し、他端６ｂから一端６ａに向けて巻き取り方向とは逆方向に灌水用チューブ巻取体５を回転させることで、帯状体６が地面Ｇに対して容易に解放される。従って、保管時の省スペース化を可能にすると共に、敷設時に帯状体６を地面に対して解放するのに手間がかからない灌水用チューブ巻取体５が提供される。
【００２３】
また、本実施形態の灌水用チューブ巻取体５によれば、突条２０が下半部１０Ｄの外面に設けられ、下半部１０Ｄを外向きにすると共に、突条２０の先端を帯状体６の外側方に向けて折り畳んで巻き取られている。そのため、灌水用チューブ巻取体５における突条２０の厚み寸法が小さくなる。従って、灌水用チューブ巻取体５が更に小径になり、保管時の省スペース化がより一層図られる。
【００２４】
更に、本実施形態の灌水用チューブ巻取体５によれば、灌水孔Ｈが上半部１０Ｕに設けられている場合に上半部１０Ｕを内向きにして巻き取られていることによって灌水孔Ｈが灌水用チューブ巻取体５の外周側に露出しない。そのため、保管時に灌水用チューブ巻取体５の外部から送水部１２への塵埃等の侵入、及び、該塵埃等による灌水孔Ｈの閉塞が確実に回避される。
【００２５】
（第二実施形態）
図６は、本発明の第二実施形態である灌水用チューブ巻取体８を示す側面図である。図７及び図８は、灌水用チューブ巻取体８を示す図であって、図６に示すＢ−Ｂ´線で矢視した場合の灌水用チューブ巻取体８の断面図である。図６及び図７に示す本実施形態の灌水用チューブ巻取体８の構成要素において、図４及び図５に示す第一実施形態の灌水用チューブ巻取体５の構成要素と同一の構成要素については、同一の符号を付し、その説明を省略する。
【００２６】
灌水用チューブ巻取体８は、図３に示すように、帯状体６の一端６ａから他端６ｂへ向けて渦巻状きに巻き取られる際に、図７に示すように、帯状体６Ａの二つの突条２０の幅方向（即ち、巻取軸心方向）における位置と帯状体６Ａの外周側に隣接する帯状体６Ｂの二つの突条２０の幅方向における位置がずれて巻き取られたものである。特に、図８に示すように、幅方向において帯状体６Ａの一方の突条２０の先端が帯状体６Ｂの二つの突条２０の間の配置されていることが好ましい。
【００２７】
帯状体６から灌水用チューブ巻取体８とする、或いは灌水用チューブ巻取体８から帯状体６とする際には、第一実施形態の灌水用チューブ巻取体５と同様に、例えば帯状体６の巻き取り用の芯部と、芯部を回転させるハンドル等の回転機構が具備された巻き取り機を用いることができる。但し、芯部は、帯状体６Ａの二つの突条２０の幅方向における位置と帯状体６Ｂの二つの突条２０の幅方向における位置とをずらせる程度に充分な幅寸法を有していることが好ましい。
【００２８】
帯状体６から灌水用チューブ巻取体８とする際には、前記巻き取り機の芯部外周の所定の箇所に上半部１０Ｕが内向きになるようにして帯状体６の一端６ａを固定する。次に、前記巻き取り機の回転機構を用いて、図３に示すように帯状体６の一端６ａから他端６ｂへ向けて渦巻状きに巻き取る。この際、帯状体６を幅方向にずらしながら巻き取る。これにより、図６及び図７に示す灌水用チューブ巻取体８が得られる。特に、図８に示すように、幅方向において帯状体６Ａの一方の突条２０の先端が帯状体６Ｂの二つの突条２０の間の配置されるように、帯状体６を幅方向にずらしながら巻き取ることが好ましい。これにより、図６及び図８に示す灌水用チューブ巻取体８が得られる。一方、灌水用チューブ巻取体８から帯状体６とする際には、第一実施形態の灌水用チューブ巻取体５と同様の作業を行えばよい。これにより、帯状体６が地面Ｇの所定の位置に敷設される。
【００２９】
ここで、本実施形態の灌水用チューブ巻取体８は、上半部１０Ｕと下半部１０ＤがＰ平面上に押し付けられて帯状体６とされると共に、帯状体６の一端６ａから他端６ｂへ向けて上半部１０Ｕと下半部１０Ｄの何れか一方を内向きにして渦巻状きに巻き取られているものである。また、突条２０が下半部１０Ｄの外面に設けられ、下半部１０Ｄを外向きにすると共に、突条２０の先端を帯状体６の外側方に向けて折り畳んで巻き取られているため、灌水用チューブ巻取体８における突条２０の厚み寸法が小さくなる。更に、灌水孔Ｈが上半部１０Ｕに設けられている場合に、上半部１０Ｕを内向きにして巻き取られていることによって灌水孔Ｈが灌水用チューブ巻取体５の外周側に露出しない。そのため、第一実施形態の灌水用チューブ巻取体５と同様の作用効果が得られる。従って、保管時の省スペース化を可能にすると共に、敷設時に帯状体６を地面に対して直線状に解放するのに手間がかからない灌水用チューブ巻取体８が提供される。
【００３０】
また、本実施形態の灌水用チューブ巻取体８によれば、帯状体６の一端６ａから他端６ｂへ向けて巻き取られる際に、帯状体６Ａの二つの突条２０の幅方向における位置と帯状体６Ａの外周側に隣接する帯状体６Ｂの二つの突条２０の幅方向における位置がずれている。そのため、灌水用チューブ巻取体８において、帯状体６が幅方向にずれ難くなり、巻き取られた状態から不意に解放されることなく、灌水用チューブ巻取体８が安定して保管される。
【００３１】
更に、幅方向において帯状体６Ａの一方の突条２０の先端が帯状体６Ａの外周側に隣接する帯状体６Ｂの二つの突条２０の間の配置されれば、帯状体６Ａの一方の突条２０の先端が帯状体６Ｂの灌水用チューブ巻取体８の外周側にたわみ易い部分に嵌合すると共に、帯状体６Ｂの幅方向の一方の端部が帯状体６Ａの二つの突条２０の間に嵌合する。従って、帯状体６が灌水用チューブ巻取体８の外周方向に最密な状態で配置されて巻き取られた状態となり、灌水用チューブ巻取体８がより一層小径になる。また、帯状体６が強固に巻き取られた状態となり、巻き取り体の状態から不意に解放されることがない。従って、灌水用チューブ巻取体８が極めて安定して保管される。
【００３２】
以上、本発明の好ましい実施形態について詳述したが、本発明は係る特定の実施形態に限定されるものではなく、特許請求の範囲内に記載された本発明の要旨の範囲内において、種々の変形・変更が可能である。
【符号の説明】
【００３３】
５，８  灌水用チューブ巻取体
６  帯状体
１０  送水管（管）
１０Ｄ  下半部
１０Ｕ  上半部
２０  突条
Ｇ  地面
Ｈ  灌水孔
【図１】
2014226060.tif 000003
【図２】
2014226060.tif 000004
【図３】
2014226060.tif 000005
【図４】
2014226060.tif 000006
【図５】
2014226060.tif 000007
【図６】
2014226060.tif 000008
【図７】
2014226060.tif 000009
【図８】
2014226060.tif 000010